(57)【要約】【課題】落下するイエバエ幼虫の四散を防ぐことができ、上下方向へ積み重ねたとしても幼虫の落下に支障がない廃棄物処理容器を提供する。【解決手段】廃棄物処理容器１には、イエバエ幼虫の餌となる有機廃棄物と、イエバエの卵とが収容される。容器１では、底壁２の前後端部９，１０と前後側壁３，４の下端部１８との間に貫通孔２３，２４が形成され、前後側壁３，４の下端部１８が底壁２の前後端部９，１０に向かって容器１の下方へ傾斜する斜面２１，２２を形成している。底壁２の前後端部９，１０は、貫通孔２３，２４に向かって底壁２から容器１の上方へ傾斜する内端部分１３，１５と、貫通孔２３，２４に向かって内端部分１３，１５の頂点２５，２６から容器１の下方へ傾斜する外端部分１４，１６とから形成されている。容器１では、底壁２を離散するイエバエ幼虫が、底壁２の前後端部９，１０を乗り越えて貫通孔２３，２４から容器１の下方へ落下する。【選択図】図１
2005132683.tif 000002
【特許請求の範囲】
【請求項１】
蛹変態する時に離散習性を有するイエバエ幼虫の餌となる有機廃棄物と、イエバエの卵とが収容され、前記卵から孵化した前記幼虫が前記廃棄物を餌食として成長する過程で該廃棄物を有機肥料に変える廃棄物処理容器において、
前記容器が、互いに並行して第１方向へ延びる一対の第１端部および互いに並行して第２方向へ延びる一対の第２端部を有する底壁と、前記第１端部に並行して第１方向へ延びる一対の第１対向側壁と、前記第２端部に並行して第２方向へ延びる一対の第２対向側壁と、前記第１および第２対向側壁の上端部に囲繞された上部開口とを備え、
前記第２対向側壁間に位置して第１方向へ延びる貫通孔が、前記底壁の第１端部と前記第１対向側壁の下端部との間に画成され、前記第１端部が、前記底壁の中央側に位置する内端部分と、前記第１対向側壁側に位置して前記内端部分に連なる外端部分とから形成され、前記内端部分が、前記底壁から前記貫通孔に向かって前記容器の上方へ傾斜し、前記外端部分が、前記内端部分から前記貫通孔に向かって前記容器の下方へ傾斜し、前記底壁を離散する前記幼虫が、前記第１端部を乗り越えて前記貫通孔から前記容器の下方へ落下することを特徴とする前記容器。
【請求項２】
前記内端部分の頂点が、前記第２対向側壁の上端部よりも下方に位置している請求項１記載の容器。
【請求項３】
前記底壁に対する前記内端部分の傾斜角度が、前記底壁に対する前記外端部分の傾斜角度よりも小さく、前記内端部分の傾斜角度が、５〜４５°の範囲にあり、前記外端部分の傾斜角度が、１５〜８５°の範囲にある請求項１または請求項２に記載の容器。
【請求項４】
前記内端部分の第２方向の長さ寸法が、前記外端部分の第２方向の長さ寸法よりも大きい請求項１ないし請求項３いずれかに記載の容器。
【請求項５】
前記第１対向側壁の下端部が、前記底壁の第１端部に向かって前記容器の下方へ傾斜する斜面を形成し、前記第１対向側壁に対する前記斜面の傾斜角度が、１００〜１３５°の範囲にある請求項１ないし請求項４いずれかに記載の容器。
【請求項６】
前記容器の複数が、前記貫通孔を互いに一致させた状態で、それら容器を収納する枠部材を介して上下方向へ重なり、上部開口を有してそれら容器から落下した前記幼虫を集める回収箱が、最下段に位置する前記容器の下方に配置されている請求項１ないし請求項５いずれかに記載の容器。
【発明の詳細な説明】
【技術分野】
【０００１】
本発明は、有機廃棄物とイエバエの卵とを収容し、卵から孵化したイエバエ幼虫を利用して有機廃棄物を有機肥料に変える廃棄物処理容器に関する。
【背景技術】
【０００２】
終齢末期に離散習性を有するイエバエ幼虫と、イエバエ幼虫の餌となる有機廃棄物とを収容し、有機廃棄物を幼虫に食させることで廃棄物を有機肥料に変える上面開口型ペレット状容器（以下、第１容器という）がある（特許文献１参照）。第１容器は、矩形の底壁と、底壁の周縁部から上方へ延びていて底壁の周方向外方へ傾斜する４つの側壁とから形成されている。第１容器は、廃棄物を餌食として成長した終齢末期のイエバエ幼虫が容器の側壁を乗り越えて容器の外側に落下するので、人手を介すことなく、有機肥料とイエバエ幼虫とを分離することができる。
【０００３】
また、他の一例として、特許文献１は、イエバエ幼虫と有機廃棄物とを収容する内側トレーと、内側トレーを収容する外側トレーとから形成され、内側トレーに収容された有機廃棄物をイエバエ幼虫に食させることで廃棄物を有機肥料に変える上面開口型ペレット状容器（以下、第２容器という）を開示している。内側トレーは、矩形の底壁と、底壁の周縁部から上方へ延びていて底壁の周方向外方へ傾斜する４つの側壁とから形成されている。外側トレーは、矩形の底壁と、底壁の周縁部から上方へ垂直に延びる４つの側壁とから形成されている。内側トレーの側壁と外側トレーの側壁との間には、内側トレーの側壁を乗り越えたイエバエ幼虫が外側トレーの底壁へ落下するための間隙が形成されている。第２容器は、廃棄物を餌食として成長した終齢末期のイエバエ幼虫が内側トレーの側壁を乗り越えて外側トレーに落下するので、人手を介すことなく、有機肥料とイエバエ幼虫とを分離することができる。
【特許文献１】特開２００１−３００４７８号公報
【発明の開示】
【発明が解決しようとする課題】
【０００４】
前記第１容器では、幼虫が側壁を乗り越えて容器の外側へ落下するときに、側壁直下に落下するとは限らず、容器の周方向外方や周方向内方へ落下して容器の外側に四散してしまう場合がある。また、第１容器は、複数のそれを上下方向へ積み重ねたときに、上方に位置する容器から落下する幼虫が下方に位置する容器内に落ちてしまう場合があり、下方の容器が幼虫の落下の妨げになってしまう。
【０００５】
前記第２容器では、複数のそれを上下方向へ積み重ねたとしても、内側トレーの側壁から落下して外側トレーに収容された幼虫がそれ以上下方へ落下することはなく、それら外側トレーの幼虫をさらに１箇所に集めることができない。
【０００６】
本発明の目的は、落下する幼虫の四散を防ぐことができ、上下方向へ積み重ねたとしても幼虫の落下に支障がない廃棄物処理容器を提供することにある。
【課題を解決するための手段】
【０００７】
前記課題を解決するための本発明の前提は、蛹変態する時に離散習性を有するイエバエ幼虫の餌となる有機廃棄物と、イエバエの卵とが収容され、卵から孵化した幼虫が廃棄物を餌食として成長する過程で該廃棄物を有機肥料に変える廃棄物処理容器である。
【０００８】
前記前提における本発明の特徴は、容器が、互いに並行して第１方向へ延びる一対の第１端部および互いに並行して第２方向へ延びる一対の第２端部を有する底壁と、第１端部に並行して第１方向へ延びる一対の第１対向側壁と、第２端部に並行して第２方向へ延びる一対の第２対向側壁と、第１および第２対向側壁の上端部に囲繞された上部開口とを備え、第２対向側壁間に位置して第１方向へ延びる貫通孔が、底壁の第１端部と第１対向側壁の下端部との間に画成され、第１端部が、底壁の中央側に位置する内端部分と、第１対向側壁側に位置して内端部分に連なる外端部分とから形成され、内端部分が、底壁から貫通孔に向かって容器の上方へ傾斜し、外端部分が、内端部分から貫通孔に向かって容器の下方へ傾斜していることにある。この容器は、蛹変態する時に底壁を離散蠕動する幼虫が底壁の第１端部を乗り越えるとともに、貫通孔を通って容器の下方へ落下する。
【０００９】
本発明は、以下の実施態様を有する。
（１）容器は、第１端部の内端部分の頂点が第２対向側壁の上端部よりも下方に位置している。この態様の容器は、幼虫が内端部分の頂点に達したとしても、そこから第２側壁の上端部を乗り越えることはない。
（２）容器は、底壁に対する内端部分の傾斜角度が底壁に対する外端部分の傾斜角度よりも小さく、内端部分の傾斜角度が５〜４５°の範囲にあり、外端部分の傾斜角度が１５〜８５°の範囲にある。
（３）容器では、内端部分の第２方向の長さ寸法が外端部分の第２方向の長さ寸法よりも大きい。
（４）容器は、第１対向側壁の下端部が底壁の第１端部に向かって容器の下方へ傾斜する斜面を形成し、第１対向側壁に対する斜面の傾斜角度が１００〜１３５°の範囲にある。この態様の容器は、幼虫が第１対向側壁の外側に落下することはなく、貫通孔の直下に落下する。
（５）容器では、その複数が貫通孔を互いに一致させた状態でそれら容器を収納する枠部材を介して上下方向へ重なり、上部開口を有してそれら容器から落下した幼虫を集める回収箱が最下段に位置する容器の下方に配置されている。この態様の容器は、積み重ねた複数の容器から落下する幼虫が回収箱に集められる。
【発明の効果】
【００１０】
本発明に係る廃棄物処理容器によれば、蛹変態する時に底壁を蠕動離散する幼虫が底壁の第１端部を乗り越え、底壁の第１端部と第１対向側壁の下端部との間に画成された貫通孔から容器の下方へ落下するので、人手を介すことなく、有機肥料とイエバエ幼虫とを分離することができる。この容器は、貫通孔を挟んで第１端部の外方に位置する第１対向側壁が障壁となるので、幼虫が第１対向側壁の外側へ落下することはなく、幼虫を貫通孔の直下に落下させることができ、幼虫の容器外側への四散を防ぐことができる。この容器は、第１端部の外端部分が貫通孔に向かって容器の斜め下方へ傾斜しているので、第１端部の内端部分の頂点に達した幼虫がそのまま外端部分を下って貫通孔に達し、貫通孔から容器の下方へ落下する。この容器は、内端部分の頂点に達した幼虫を貫通孔に誘導することができる。
【００１１】
内端部分の頂点が第２側壁の上端部よりも下方に位置している容器では、幼虫が第１端部の内端部分の頂点に達したとしても、そこから第２対向側壁の上端部を乗り越えることはなく、幼虫が第２対向側壁から容器の外側に落下してしまうことはない。
【００１２】
底壁に対する内端部分の傾斜角度が底壁に対する外端部分の傾斜角度よりも小さい容器では、幼虫が内端部分を容易に乗り越えることができ、内端部分を乗り越えて外端部分に移動した幼虫が再び底壁に向かって内端部分へ引き返すことがない。この容器では、底壁に対する内端部分の傾斜角度が５〜４５°の範囲にあり、底壁に対する外端部分の傾斜角度が１５〜８５°の範囲にあるので、幼虫が内端部分を這い上がり易く、内端部分の頂点に達した幼虫を外端部分から貫通孔の方向へ容易に誘導することができる。
【００１３】
内端部分の第２方向の長さ寸法が外端部分の第２方向の長さ寸法よりも大きい容器では、幼虫が外端部分から貫通孔に達し易く、幼虫の内端部分への引き返しを確実に防ぐことができる。
【００１４】
第１対向側壁の下端部が第１端部に向かって容器の斜め下方へ傾斜する斜面を形成している容器では、幼虫が第１対向側部の外側に向かって落下したとしても、幼虫が斜面に当たって跳ね反るので、幼虫を貫通孔の直下に落下させることができ、幼虫の第１対向側部外側への落下を確実に防止することができる。この容器は、第１対向側壁に対する斜面の傾斜角度が１００〜１３５°の範囲にあるので、貫通孔を落下する幼虫が斜面に引っ掛かってしまうことなく、幼虫を貫通孔から容器の下方へ確実に落下させることができる。
【００１５】
貫通孔を互いに一致させた状態で複数の容器が上下方向へ重ねられ、それら容器から落下した幼虫を集める回収箱が最下段に位置する容器の下方に配置された階層構造の容器では、一度に多量の廃棄物を有機肥料に変えることができるとともに、それら容器から落下する幼虫を一箇所に集めることができる。また、重なり合うそれら容器が幼虫を貫通孔の直下に落下させることができるので、落下する幼虫が回収箱の外側に四散することはなく、幼虫を回収箱に効率よく集めることができる。さらに、容器の複数を上下方向へ積み重ねたときに、上方に位置する容器から落下する幼虫が下方に位置する容器の外端部分上に乗ったとしても、幼虫が外端部分を下って貫通孔から再び容器の下方へ落下するので、上方の容器から落下する幼虫が下方の容器に収容されてしまうことはなく、下方の容器が幼虫の落下の妨げになることはない。
【発明を実施するための最良の形態】
【００１６】
添付の図面を参照し、本発明に係る廃棄物処理容器の詳細を説明すると、以下のとおりである。
【００１７】
図１，２は、廃棄物処理容器１の斜視図と、上部開口８の側から示す容器１の上面図とであり、図３，４は、図１のＩＩ−ＩＩ線矢視断面図である。それら図では、縦方向を矢印Ｌ、横方向を矢印Ｎで示し、上下方向を矢印Ｍで示す。図１，２では、有機廃棄物４０や有機肥料４１、イエバエ幼虫４２の図示を省略している。図３は、幼虫４２が廃棄物４０を食べている状態を示す。図４は、幼虫４２が廃棄物４０を食べ尽くした後の状態を示し、廃棄物４０が有機肥料４１に変わっている。
【００１８】
容器１には、有機廃棄物４０と、イエバエの多数の卵（図示せず）とが収容される。容器１では、それに収容された有機廃棄物４０が卵から孵化したイエバエ幼虫４２（蛆）の餌となり、幼虫４２が廃棄物４０を餌食として成長する過程で廃棄物４０が有機肥料４１に変わる。イエバエ幼虫４２は、それが蛹変態する時に離散習性を有する。すなわち、蛹になる場所を求めて活発に蠕動する。イエバエの種類としては、「Ｍｕｓｃａ  ｄｏｍｅｓｔｉｃａ」を使用することが好ましい。前記種類のイエバエの幼虫４２は、短期間に多量の廃棄物４０を食べる習性を有するとともに、短期間に蛹に変態する。有機廃棄物４０には、糞尿、焼酎やビールの粕、豆腐殻、生塵を例示することができるが、それらのみならず、イエバエ幼虫４２が食べることのできる生分解可能な全ての有機廃棄物が含まれる。糞には、鶏糞や馬糞、豚糞等の畜糞のみならず、人糞も含まれる。
【００１９】
容器１は、平面形状が矩形の底壁２と、互いに対向して縦方向へ延びていて上下方向へ起立する前後側壁３，４と、互いに対向して横方向へ延びていて上下方向へ起立する両側壁５，６とを有する。容器１では、底壁２と側壁５，６とから収容部７が画成され、それら側壁３，４，５，６から上部開口８が画成されている。容器１は、アルミやジュラルミン等の金属、熱硬化性合成樹脂や熱可塑性合成樹脂等のプラスチック、または、木材から作ることができる。
【００２０】
底壁２は、互いに並行して縦方向へ延びる前後端部９，１０と、互いに並行して横方向へ延びる両端部１１，１２とを有する。前端部９は、底壁２の中央側に位置する内端部分１３と、前側壁３の側に位置して内端部分１３に連なる外端部分１４とから形成されている。後端部１０は、底壁２の中央側に位置する内端部分１５と、後側壁４の側に位置して内端部分１５に連なる外端部分１６とから形成されている。
【００２１】
なお、特許請求の範囲における第１方向はこの実施の形態における縦方向と横方向とのいずれか一方に相当し、特許請求の範囲における第２方向はこの実施の形態における縦方向と横方向とのいずれか他方に相当する。たとえば、特許請求の範囲における第１方向がこの実施の形態における縦方向に相当するとともに第２方向が横方向に相当する場合は、特許請求の範囲における底壁の第１端部が前後端部９，１０に相当し、特許請求の範囲における底壁の第２端部が両端部１１，１２に相当するとともに、特許請求の範囲における第１対向側壁が前後側壁３，４に相当し、特許請求の範囲における第２対向側壁が両側壁５，６に相当する。また、特許請求の範囲における第１方向がこの実施の形態における横方向に相当するとともに第２方向が縦方向に相当する場合は、特許請求の範囲における底壁の第１端部が両端部１１，１２に相当し、特許請求の範囲における底壁の第２端部が前後端部９，１０に相当するとともに、特許請求の範囲における第１対向側壁が両側壁５，６に相当し、特許請求の範囲における第２対向側壁が前後側壁３，４に相当する。
【００２２】
この容器１では、前後端部９，１０が特許請求の範囲における底壁の第１端部に相当し、両端部１１，１２が特許請求の範囲における第２端部に相当するとともに、前後側壁３，４が特許請求の範囲における第１対向側壁に相当し、両側壁５，６が特許請求の範囲における第２対向側壁に相当する。ただし、上述したように、特許請求の範囲における第１方向はこの実施の形態の縦横方向のいずれでもよく、前後端部９，１０が特許請求の範囲における底壁の第２端部に相当し、両端部１１，１２が特許請求の範囲における第１端部に相当するとともに、前後側壁３，４が特許請求の範囲における第２対向側壁に相当し、両側壁５，６が特許請求の範囲における第１対向側壁に相当する場合があることは既述のとおりである。
【００２３】
前後側壁３，４は、その平面形状が矩形を呈し、縦方向へ延びる上端部１７と、縦方向へ延びる下端部１８とを有する。両側壁５，６は、その平面形状が矩形を呈し、横方向へ延びる上端部１９と、横方向へ延びる下端部２０とを有する。前後側壁３、４と両側壁５，６とは、それら側壁３，４，５，６が交差する角部において互いにつながっている。両側壁５，６の下端部２０は、底壁２の両端部１１，１２につながっている。それら側壁３，４，５，６の上端部１７，１９は、上部開口８を囲繞している。前側壁３の下端部１８は、底壁２の前端部９に向かって容器１の下方へ傾斜する下り勾配の斜面２１を形成している。後側壁４の下端部１８は、底壁２の後端部１０に向かって容器１の下方へ傾斜する下り勾配の斜面２２を形成している。それら斜面２１，２２は、両側壁５，６間に位置して縦方向へ延びている。
【００２４】
底壁２の前後端部９，１０と前後側壁３，４の下端部１８との間には、両側壁５，６間に位置して縦方向へ延びる一対の貫通孔２３，２４が画成されている。前後端部９，１０の内端部分１３，１５は、底壁２から貫通孔２３，２４に向かって容器１の上方へ傾斜している。前後端部９，１０の外端部分１４，１６は、底壁２の上方に位置し、内端部分１３，１５の頂点２５，２６から貫通孔２３，２４に向かって容器１の下方へ傾斜している。前後端部９，１０は、それらの内端部分１３，１５が貫通孔２３，２４に向かって容器１の斜め上方へ上り勾配を有するとともに、それらの外端部分１４，１６が貫通孔２３，２４に向かって容器１の斜め下方へ下り勾配を有する。前後端部９，１０は、容器１を側壁５の側から見たときの断面形状が山型を呈する（図３，４参照）。内端部分１３，１５の頂点２５，２６は、両側壁５，６の上端部１９近傍であって、上端部１９の下方に位置している。
【００２５】
有機廃棄物４０は、図３に示すように、底壁２の内面に置かれた状態で収容部７に収容される。イエバエの卵は、容器１に収納する以前の廃棄物４０に散布してもよく、廃棄物４０を容器１に収容した後に、廃棄物４０に散布してもよい。卵から孵化したイエバエ幼虫４２は、廃棄物４０を餌食として成長する。廃棄物４０は、それを幼虫４２が食べ尽くした時に幼虫４２が蛹変態時期を迎えるように、その分量が調節されている。イエバエの卵は、それから孵化した幼虫４２が餌不足にならないように、廃棄物４０に散布する卵の個数が調節されている。
【００２６】
有機廃棄物４０は、図４に示すように、幼虫４２の体内で分解、消化され、幼虫４２から排泄されることで有機肥料４１に変わる。廃棄物４０を食べ尽くして蛹変態時期を迎えた幼虫４２は、蛹になる場所を求めて活発に蠕動離散し、容器１の底壁２を動き回りながら底壁２の前後端部９，１０や両端部１１，１２に向かう。
【００２７】
前後端部９，１０に向かった幼虫４２は、前後端部９，１０の内端部分１３，１５を這い上がり、内端部分１３，１５を乗り越えるとともに、外端部分１４，１６を下って貫通孔２３，２４から容器１の下方へ落下する。なお、両端部１１，１２に向かった幼虫４２は、両側壁５，６に達した後、縦方向へ向きを変え、両側壁５，６に沿って前後端部９，１０に向かう。この容器１は、イエバエ幼虫４２を利用することで、有機廃棄物４０を有機肥料４１に変えることができるのみならず、イエバエ幼虫４２の習性を利用することで、人手を介すことなく、有機肥料４１とイエバエ幼虫４２とを分離することができる。
【００２８】
容器１は、内端部分１３，１５の上り勾配を這い上がった幼虫４２が外端部分１４，１６の下り勾配に沿って外端部分１４，１６を下るので、内端部分１３，１５を乗り越えて外端部分１４，１６に移動した幼虫４２が再び底壁２に向かって内端部分１３，１５へ引き返すことがない。容器１は、貫通孔２３，２４を挟んで前後端部９，１０の縦方向外方に位置する前後側壁３，４が障壁となり、幼虫４２が前後側壁３，４の外側へ向かって落下したとしても、幼虫４２が前後側壁３，４に当たって貫通孔２３，２４の直下に落下するので、貫通孔２３，２４を落下する幼虫４２の前後側壁３，４外側への四散を防ぐことができる。
【００２９】
容器１は、内端部分１３，１５の頂点２５，２６が両側壁５，６の上端部１９よりも下方に位置しているので、内端部分１３，１５の頂点２５，２６に達した幼虫４２が頂点２５，２６から両側壁５，６の上端部１９を乗り越えることはなく、幼虫４２が両側壁５，６から容器１の外側に落下してしまうことはない。容器１は、前後側壁３，４の下端部１８が前後端部９，１０に向かって容器１の下方へ傾斜する斜面２１，２２を形成しているので、幼虫４２が前後側壁３，４の外側に向かって落下したとしても、幼虫４２が斜面２１，２２に当たって跳ね反り、貫通孔２３，２４の直下に落下する。この容器１は、幼虫４２の前後側壁３，４外側への落下を確実に防止することができる。
【００３０】
容器１では、底壁２に対する内端部分１３，１５の傾斜角度θ１が底壁２に対する外端部分１４，１６の傾斜角度θ２よりも小さく、内端部分１３，１５の傾斜角度θ１が５〜４５°の範囲にあり、外端部分１４，１６の傾斜角度θ２が１５〜８５°の範囲にある。ここで、底壁２に対する外端部分１４，１６の傾斜角度θ２とは、外端部分１４，１６を容器１の下方へ向かって延長したときの底壁２と外端部分１４，１６とのなす角度をいう（図３参照）。なお、傾斜角度θ１は１０〜４５°の範囲にあることが好ましく、傾斜角度θ２は１５〜６０°の範囲にあることが好ましい。
【００３１】
内端部分１３，１５の傾斜角度θ１が５°未満では、容器１の内部に廃棄物４０を収容したときに、廃棄物４０が前後端部９，１０を乗り越えて貫通孔２３，２４から容器１の下方にこぼれてしまう場合がある。内端部分１３，１５の傾斜角度θ１が４５°を超過すると、幼虫４２が内端部分１３，１５を乗り越えることができず、有機肥料４１とイエバエ幼虫４２とを分離することができない。外端部分１４，１６の傾斜角度θ２が１５°未満では、内端部分１３，１５を這い上がって外端部分１４，１６に移動した幼虫４２が外端部分１４，１６の傾斜に沿って外端部分１４，１６を下らずに再び内端部分１３，１５を下って底壁２に引き返してしまう場合がある。外端部分１４，１６の傾斜角度θ２が８５°を超過すると、内端部分１３，１５の頂点２５，２６が鋭尖形となり、幼虫４２が頂点２５，２６を容易に乗り越えることができず、幼虫４２が再び内端部分１３，１５を下って底壁２に引き返してしまったり、幼虫４２が底壁２に向かって内端部分１３，１５を転げ落ちてしまう場合がある。
【００３２】
容器１は、前後側壁３，４に対する斜面２１，２２の傾斜角度θ３が１００〜１３５°の範囲にある。斜面２１，２２の傾斜角度θ３が１００°未満では、貫通孔２３，２４を落下する幼虫４２が斜面２１，２２に引っ掛かってしまう場合があり、幼虫４２を貫通孔２３，２４から容器１の下方へ確実に落下させることができない。なお、外端部分１４，１６と斜面２１，２２との間の貫通孔２３，２４の横方向の最小寸法Ｍ１は、３ｃｍである。貫通孔２３，２４の横方向の最小寸法Ｍ１が３ｃｍ未満では、幼虫４２が貫通孔２３，２４に引っ掛かってしまう場合があり、幼虫４２を貫通孔２３，２４から容器１の下方へ確実に落下させることができない。
【００３３】
なお、貫通孔は、底壁２の前端部９と前側壁３の下端部１８との間にのみ形成されていてもよく、または、底壁２の後端部１０と後側壁４の下端部１８との間にのみ形成されていてもよい。
【００３４】
図５，６は、枠部材２７を介して図１の容器１の複数を上下方向へ積み重ねたときの斜視図と、図５のＩＩＩ−ＩＩＩ線矢視断面図とである。それら図では、縦方向を矢印Ｌ、横方向を矢印Ｍで示し、上下向を矢印Ｎで示す。図６は、幼虫４２が有機廃棄物４０を食べ尽くした後の状態を示し、廃棄物４０が有機肥料４１に変わっている。
【００３５】
容器１の構成は、図１のそれと同一であるので、図１と同一の符号を付すことでその説明は省略する。容器１は、枠部材２７を介してその複数を上下方向へ積み重ねることができる。最下段に位置する容器１の下方には、それら容器１から落下した幼虫を一箇所に集めるための回収箱２８が配置されている。
【００３６】
枠部材２７は、上下方向へ延びる４本の脚部２９と、縦横方向へ延びる多数の棚枠部３０と、それら棚枠部３０間に延びる回転可能な多数のローラ３１とから形成されている。枠部材２７は、アルミやジュラルミン等の金属から作ることができる。上下方向へ並ぶ棚枠部３０どうしの間には、容器１を収納することが可能な収納空間３２が画成されている。
【００３７】
回収箱２８は、底壁３３と、底壁３３の周縁部から上方へ延びる４つの側壁３４と、上部開口３５とを有する。回収箱２８は、底壁３３から側壁３４の上部に向かうにつれて末広がりのテーパー状を呈する。回収箱２８は、アルミやジュラルミン等の金属、熱硬化性合成樹脂や熱可塑性合成樹脂のプラスチック、または、木材から作ることができる。
【００３８】
矢印Ｍ２で示すように、有機廃棄物４０とイエバエの卵とを収容した容器１を枠部材２７の収納空間３２に挿入すると、容器１の底壁２に当接するローラ３１が回転し、容器１を収納空間３２へ深く押し入れることができる。容器１全体を収納空間３２へ収納すると、前後側壁３，４と両側壁５，６との下端部１８，１０が棚枠部３０に当接し、容器１が枠部材２７に固定される。収納空間３２の全てに容器１を挿入すると、複数の容器１が上下方向へ階層構造を呈するように重なる。
【００３９】
容器１を収納空間３２の全てに挿入すると、図５，６に示すように、それら容器１の前後側壁３，４どうしが上下方向へ一列に並ぶとともに、それら容器１の両側壁５，６どうしが上下方向へ一列に並び、それら容器１の貫通孔２３，２４が上下方向へ互いに一致する。最下段に位置する容器１の貫通孔２３，２４は、回収箱２８の上部開口３５の直上に位置する。
【００４０】
それら容器１は、底壁２を蠕動離散する幼虫４２を貫通孔２３，２４の直下に落下させることができるので、幼虫４２が回収箱２８の上部開口３５から底壁３３に落ち、それら容器１から落下する幼虫４２を回収箱２８に集めることができる。なお、上方に位置する容器１から落下する幼虫４２が下方に位置する容器１の外端部分１４，１６上に乗ったとしても、幼虫４２が外端部分１４，１６を下って貫通孔２３，２４から再び容器１の下方へ落下するので、上方の容器１から落下する幼虫４２が下方の容器１に収容されてしまうことはなく、下方の容器１が幼虫４２の落下の妨げになることはない。また、複数の容器１が枠部材２７を介して上下方向へ積み重なっているので、一度に多量の有機排泄物４０を効率よく有機肥料４１に変えることができる。幼虫４２は貫通孔２３，２４を通って回収箱２８に落下するので、それら容器１から落下する幼虫４２を効率よく一箇所に集めることができる。
【図面の簡単な説明】
【００４１】
【図１】廃棄物処理容器の斜視図。
【図２】上部開口の側から示す容器の上面図。
【図３】図１のＩＩ−ＩＩ線矢視断面図。
【図４】図１のＩＩ−ＩＩ線矢視断面図。
【図５】図１の容器の複数を上下方向へ積み重ねたときの斜視図。
【図６】図５のＩＩＩ−ＩＩＩ線矢視断面図。
【符号の説明】
【００４２】
１    廃棄物処理容器
２    底壁
３    前側壁（第１対向側壁）
４    後側壁（第１対向側壁）
５    両側壁（第２対向側壁）
６    両側壁（第２対向側壁）
７    収容部
８    上部開口
９    前端部（第１端部）
１０    後端部（第１端部）
１１    両端部（第２端部）
１２    両端部（第２端部）
１３    内端部分
１４    外端部分
１５    内端部分
１６    外端部分
１７    上端部
１８    下端部
１９    上端部
２０    下端部
２１    斜面
２２    斜面
２３    貫通孔
２４    貫通孔
２５    頂点
２６    頂点
２７    枠部材
２８    回収箱
４０    有機廃棄物
４１    有機肥料
４２    イエバエ幼虫
θ１    傾斜角度
θ２    傾斜角度
θ３    傾斜角度
【図１】
2005132683.tif 000003
【図２】
2005132683.tif 000004
【図３】
2005132683.tif 000005
【図４】
2005132683.tif 000006
【図５】
2005132683.tif 000007
【図６】
2005132683.tif 000008